(57)【要約】【課題】パチンコ台の改竄を防止するためのパチンコ台の包装体、包装方法方及び包装装置を提供すること。【解決手段】パチンコ台１と、パチンコ台１を包装する熱収縮フィルム３２と、を備え、  パチンコ台１は、使用者に対向して配置される表面１ａと、表面１ａと反対の裏面１ｂと、裏面１ｂ側に設けられた、主制御基板を収納するための収納ケース１０と、を備え、熱収縮フィルム３２は、少なくとも収納ケース１０が覆われるように、パチンコ台１の表面１ａ及び裏面１ｂを包み、かつ、パチンコ台１に密着するように、熱で収縮されている。【選択図】図３
2016154651.tif 000002
【特許請求の範囲】
【請求項１】
パチンコ台の包装体であって、
パチンコ台と、
前記パチンコ台を包装する熱収縮フィルムと、を備え、
前記パチンコ台は、使用者に対向して配置される表面と、前記表面と反対の裏面と、前記裏面側に設けられた、主制御基板を収納するための収納ケースと、を備え、
前記熱収縮フィルムは、少なくとも前記収納ケースが覆われるように、前記パチンコ台の表面及び裏面を包み、かつ、前記パチンコ台に密着するように、熱で収縮されている
ことを特徴とする包装体。
【請求項２】
パチンコ台の包装方法であって、
使用者に対向して配置される表面と、前記表面と反対の裏面と、前記裏面側に設けられた、主制御基板を収納するための収納ケースと、を備えたパチンコ台に対して、少なくとも前記収納ケースが覆われるように、前記パチンコ台の表面及び裏面を熱収縮フィルムで包む包装工程と、
前記パチンコ台を包む前記熱収縮フィルムが前記パチンコ台に密着するように、前記熱収縮フィルムに全体的に熱を付与する密着工程と、を含む
ことを特徴とする包装方法。
【請求項３】
さらに、立設した前記パチンコ台を搬送方向に搬送する搬送工程を含み、
前記包装工程は、
前記搬送方向の直交方向に延びる前記熱収縮フィルムに向けて前記パチンコ台を搬送した後、前記熱収縮フィルムをヒートシールすることで、前記パチンコ台を前記熱収縮フィルムで包む
ことを特徴とする請求項２に記載の包装方法。
【請求項４】
さらに、前記包装工程と前記密着工程との間に、
前記パチンコ台を包む前記熱収縮フィルムの位置ずれを防止するために、前記熱収縮フィルムに部分的に熱を付与するずれ止め工程を含む
ことを特徴とする請求項２又は３に記載の包装方法。
【請求項５】
前記密着工程又は前記ずれ止め工程は、
前記熱収縮フィルムで包まれた前記パチンコ台の表面及び裏面に向けて熱風を噴射する
ことを特徴とする請求項２〜４のいずれかに記載の包装方法。
【請求項６】
パチンコ台の包装装置であって、
使用者に対向して配置される表面と、前記表面と反対の裏面と、前記裏面側に設けられた、主制御基板を収納するための収納ケースと、を備えたパチンコ台を、立設して搬送方向に搬送する搬送手段と、
前記パチンコ台に対して、少なくとも前記収納ケースが覆われるように、前記パチンコ台の表面及び裏面を熱収縮フィルムで包む包装手段と、
前記パチンコ台を包む前記熱収縮フィルムが前記パチンコ台に密着するように、前記熱収縮フィルムに全体的に熱を付与する密着手段と、を備える
ことを特徴とする包装装置。
【請求項７】
前記包装手段は、
前記熱収縮フィルムが前記搬送方向の直交方向に延びるように、前記熱収縮フィルムを供給するフィルム供給手段と、
前記直交方向に延びる前記熱収縮フィルムで前記パチンコ台を覆った後、前記熱収縮フィルムを溶断及び接着するためのヒートシール手段と、を備える
ことを特徴とする請求項６に記載の包装装置。
【請求項８】
さらに、前記包装手段と前記密着手段との間に、
前記パチンコ台を包む前記熱収縮フィルムの位置ずれを防止するために、前記熱収縮フィルムに部分的に熱を付与するずれ止め手段を備える
ことを特徴とする請求項６又は７に記載の包装装置。
【請求項９】
前記密着手段又はずれ止め手段は、
前記熱収縮フィルムで包まれた前記パチンコ台の表面及び裏面に向けて熱風を噴射する熱風噴射手段を備える
ことを特徴とする請求項６〜８のいずれかに記載の包装装置。
【請求項１０】
前記熱風噴射手段は、
複数の噴射口と、
前記各噴射口を自由に位置調整するための位置調整手段と、を備える
ことを特徴とする請求項９に記載の包装装置。
【請求項１１】
前記熱風噴射手段は、前記噴射口を開閉するための開閉手段を備える
ことを特徴とする請求項１０に記載の包装装置。
【発明の詳細な説明】
【技術分野】
【０００１】
本発明は、パチンコ台の改竄を防止するためのパチンコ台の包装体、包装方法方及び包装装置に関する。
【背景技術】
【０００２】
パチンコ台は、製造工場で製造された後、店舗に搬送されて設置される。ところで、パチンコ台は、所定の遊技動作を制御するための主制御基板を備える。そして、パチンコ台を製造工場から店舗まで搬送する際中、又は、パチンコ台を店舗に設置する際中に、主制御基板を改竄する者がいる。
そこで、パチンコ台の改竄を防止するために、例えば特許文献１のシールが開示されている。このシールは、主制御基板を収納する収納ケースの開口部に取り付けられる。そして、収納ケースの開口部を開こうとすると、シールが破れて、主制御基板の改竄を発見できるようになっている。
しかし、収納ケースを取り外して、改竄された主制御基板を収納する別の収納ケースを取り付けることができるという問題がある。また、シールを避けて収納ケースの一部を切断して、改竄された主制御基板を取り付けることができるという問題もある。
【先行技術文献】
【特許文献】
【０００３】
【特許文献１】特開平１０−２２５５６５号公報
【発明の概要】
【発明が解決しようとする課題】
【０００４】
そこで、本発明が解決しようとする課題は、上記の問題に鑑みて、パチンコ台の改竄を防止するためのパチンコ台の包装体、包装方法方及び包装装置を提供する。
【課題を解決するための手段】
【０００５】
上記課題を解決するために、本発明に係るパチンコ台の包装体は、
パチンコ台と、
パチンコ台を包装する熱収縮フィルムと、を備え、
パチンコ台は、使用者に対向して配置される表面と、表面と反対の裏面と、裏面側に設けられた、主制御基板を収納するための収納ケースと、を備え、
熱収縮フィルムは、少なくとも収納ケースが覆われるように、パチンコ台の表面及び裏面を包み、かつ、パチンコ台に密着するように、熱で収縮されている。
【０００６】
また、本発明に係るパチンコ台の包装方法は、
使用者に対向して配置される表面と、表面と反対の裏面と、裏面側に設けられた、主制御基板を収納するための収納ケースと、を備えたパチンコ台に対して、少なくとも収納ケースが覆われるように、パチンコ台の表面及び裏面を熱収縮フィルムで包む包装工程と、
パチンコ台を包む熱収縮フィルムがパチンコ台に密着するように、熱収縮フィルムに全体的に熱を付与する密着工程と、を含む。
【０００７】
好ましくは、
さらに、立設したパチンコ台を搬送方向に搬送する搬送工程を含み、
包装工程は、
搬送方向の直交方向に延びる熱収縮フィルムに向けてパチンコ台を搬送した後、熱収縮フィルムをヒートシールすることで、パチンコ台を熱収縮フィルムで包む。
【０００８】
好ましくは、
さらに、包装工程と密着工程との間に、
パチンコ台を包む熱収縮フィルムの位置ずれを防止するために、熱収縮フィルムに部分的に熱を付与するずれ止め工程を含む。
【０００９】
好ましくは、
密着工程又はずれ止め工程は、
熱収縮フィルムで包まれたパチンコ台の表面及び裏面に向けて熱風を噴射する。
【００１０】
また、本発明に係るパチンコ台の包装装置は、
使用者に対向して配置される表面と、表面と反対の裏面と、裏面側に設けられた、主制御基板を収納するための収納ケースと、を備えたパチンコ台を、立設して搬送方向に搬送する搬送手段と、
パチンコ台に対して、少なくとも収納ケースが覆われるように、パチンコ台の表面及び裏面を熱収縮フィルムで包む包装手段と、
パチンコ台を包む熱収縮フィルムがパチンコ台に密着するように、熱収縮フィルムに全体的に熱を付与する密着手段と、を備える。
【００１１】
好ましくは、
包装手段は、
熱収縮フィルムが搬送方向の直交方向に延びるように、熱収縮フィルムを供給するフィルム供給手段と、
直交方向に延びる熱収縮フィルムでパチンコ台を覆った後、熱収縮フィルムを溶断及び接着するためのヒートシール手段と、を備える。
【００１２】
好ましくは、
さらに、包装手段と密着手段との間に、
パチンコ台を包む熱収縮フィルムの位置ずれを防止するために、熱収縮フィルムに部分的に熱を付与するずれ止め手段を備える。
【００１３】
好ましくは、
密着手段又はずれ止め手段は、
熱収縮フィルムで包まれたパチンコ台の表面及び裏面に向けて熱風を噴射する熱風噴射手段を備える。
【００１４】
好ましくは、
熱風噴射手段は、
複数の噴射口と、
各噴射口を自由に位置調整するための位置調整手段と、を備える。
【００１５】
好ましくは、
熱風噴射手段は、噴射口を開閉するための開閉手段を備える。
【発明の効果】
【００１６】
本発明では、パチンコ台は、熱収縮フィルムで包装される。さらに、熱収縮フィルムは、少なくとも収納ケースが覆われるように、パチンコ台の表面及び裏面を包み、かつ、パチンコ台に密着するように、熱で収縮されている。
これにより、主制御基板を収納する収納ケースを取り外したり切断しようとすると、熱収縮フィルムが破れたり伸びたり変形するので、主制御基板が改竄されたか否かを簡単かつ迅速に発見できる。
【図面の簡単な説明】
【００１７】
【図１】パチンコ台の包装装置を示す平面図。
【図２】パチンコ台の包装装置を示す側面図。
【図３】パチンコ台の包装体を示す斜視図。
【発明を実施するための形態】
【００１８】
以下、図面に基づいて、本発明に係るパチンコ台の包装体、包装方法方及び包装装置の実施形態について説明する。
【００１９】
[パチンコ台]
パチンコ台１の説明をする。
図１〜図３の通り、パチンコ台１は、使用者に対向して配置される表面１ａと、表面１ａと反対の裏面１ｂと、を備える。パチンコ台１は、表面１ａ側に、パチンコ玉を発射するための発射ハンドル１１等を備えると共に、裏面１ｂ側に、主制御基板を収納するための収納ケース１０等を備える。
【００２０】
[包装装置]
パチンコ台１を包装する包装装置を説明する。
図１及び図２の通り、包装装置は、搬送手段２を備える。搬送手段２は、例えば、ローラー式コンベヤーからなる。搬送手段２は、搬送方向Ｘに沿って設けられる。パチンコ台１は、搬送手段２に立設されて、搬送方向Ｘに搬送される。パチンコ台１が立設するとき、パチンコ台１の表面１ａ及び裏面１ｂが、搬送方向Ｘの直角方向Ｙに向けて配置される。また、パチンコ台１が搬送手段２で搬送されるとき、パチンコ台１の前端１ｃが搬送方向Ｘの先頭となる。
【００２１】
一般的に、パチンコ台１は、樹脂製の外枠を備えており、収納ケース１０及び発射ハンドル１１は、外枠から突出している。そのため、パチンコ台１が立設せずに、すなわち、パチンコ台１の表面１ａ又は裏面１ｂが上下方向Ｚに向けて配置されると、突出する収納ケース１０又は発射ハンドル１１が、搬送手段２に接触して破損するおそれがある。そのため、パチンコ台１は、立設して搬送されることが好ましい。
【００２２】
包装装置は、パチンコ台１に対して、少なくとも収納ケース１０が覆われるように、パチンコ台１の表面１ａ及び裏面１ｂを熱収縮フィルム３２で包む包装手段３を備える。包装手段３は、熱収縮フィルム３２が直交方向Ｙに延びるように、熱収縮フィルム３２を供給するフィルム供給手段３０を備える。フィルム供給手段３０は、熱収縮フィルム３２を巻いた一対のフィルムロール３００を備える。各フィルムロール３００は、搬送手段２を挟んで、直交方向Ｙに互いに対向して配置される。各フィルムロール３００の軸３００ａは、上下方向Ｚに延設される。
【００２３】
フィルム供給手段３０は、さらに、フィルムロール３００から繰り出される熱収縮フィルム３２に対して、所定の張力を与えて、所定の位置に位置決めするための複数の巻出しローラー３０１を備える。
【００２４】
包装手段３は、さらに、直交方向Ｙに延びる熱収縮フィルム３２でパチンコ台１を覆った後、熱収縮フィルム３２を溶断及び接着するためのヒートシール手段３１を備える。ヒートシール手段３１は、フィルム供給手段３０に対して搬送方向Ｘの下流側に配置される。ヒートシール手段３１は、一対のヒートシールバー３１０を備える。各ヒートシールバー３１０は、直交方向Ｙに沿って互いに対向して配置されると共に、上下方向Ｚに延設される。
【００２５】
各ヒートシールバー３１０は、直交方向Ｙに進退して当接及び離間する。各フィルムロール３００から繰り出される熱収縮フィルム３２は、ヒートシールバー３１０に挟まれることで、互いに接着及び溶断される。
【００２６】
包装装置は、パチンコ台１を包む熱収縮フィルム３２がパチンコ台１に密着するように、熱収縮フィルム３２に全体的に熱を付与する密着手段４を備える。密着手段４は、包装手段３に対して搬送方向Ｘの下流側に配置される。密着手段４は、熱収縮フィルム３２で包まれたパチンコ台１の表面１ａ及び裏面１ｂに向けて熱風を噴射する熱風噴射手段４０を備える。熱風噴射手段４０は、複数の噴射口４０ａを備える。
【００２７】
熱風噴射手段４０は、さらに、各噴射口４０ａを自由に位置調整するための位置調整手段４２を備える。位置調整手段４２は、各噴射口４０ａを搬送方向Ｘ、直交方向Ｙ及び上下方向Ｚに位置調整できる。一般的に、パチンコ台１は、樹脂製の外枠を備えており、収納ケース１０及び発射ハンドル１１は、外枠から突出している。そのため、パチンコ台１の表面１ａ及び裏面１ｂは凹凸を有する。熱収縮フィルム３２が、パチンコ台１の凹凸に合わせて適切に密着すると共に、パチンコ台１の樹脂が、熱風で溶けないように、噴射口４０ａを所定の位置に配置することで、噴射口４０ａからの熱風を、パチンコ台１の熱収縮フィルム３２に均一に噴射できる。
【００２８】
包装手段３でパチンコ台１を包む熱収縮フィルム３２は、パチンコ台１に密着していないので、搬送中に上下方向Ｚにずれ落ちるおそれがある。そのため、包装装置は、パチンコ台１を包む熱収縮フィルム３２の位置ずれを防止するために、熱収縮フィルム３２に部分的に熱を付与するずれ止め手段５を備える。ずれ止め手段５は、包装手段３と密着手段４との間に配置される。また、ずれ止め手段５は、包装手段３の近くに配置される。
【００２９】
ずれ止め手段５は、熱収縮フィルム３２で包まれたパチンコ台１の表面１ａ及び裏面１ｂに向けて熱風を噴射する熱風噴射手段５０を備える。熱風噴射手段５０は、複数の噴射口５０ａを備える。熱風噴射手段５０は、さらに、各噴射口５０ａを自由に位置調整するための位置調整手段５２を備える。位置調整手段５２は、各噴射口５０ａを搬送方向Ｘ、直交方向Ｙ及び上下方向Ｚに位置調整できる。例えば、熱収縮フィルム３２がパチンコ台１の上部にある凸部に密着して引っ掛かるように、噴射口５０ａを所定の位置に配置することで、噴射口５０ａからの熱風を、パチンコ台１の凸部にある熱収縮フィルム３２に噴射できる。
【００３０】
熱風噴射手段５０は、さらに、噴射口５０ａを開閉するための開閉手段５１を備える。開閉手段５１は、例えば、進退可能なシャッターからなる。複数のパチンコ台１を連続的に搬送して包装するとき、ずれ止め手段５でパチンコ台１が滞留することがある。また、装置の異常が発生するとき、搬送手段２が停止することがある。その場合に、パチンコ台１は長時間停止するので、噴射口５０ａからの熱風で熱収縮フィルム３２又はパチンコ台１が溶けないように、開閉手段５１で噴射口５０ａを閉じる。
【００３１】
[包装方法]
パチンコ台１を包装する包装方法を説明する。
図１及び図２の通り、搬送手段２によって、立設したパチンコ台１を搬送方向Ｘに搬送する（搬送工程）。パチンコ台１の前端１ｃが、直交方向Ｙに延びる熱収縮フィルム３２に当接する。フィルムロール３００から熱収縮フィルム３２を繰り出しながら、熱収縮フィルム３２が、パチンコ台１の表面１ａ及び裏面１ｂを覆うまで、パチンコ台１を搬送方向Ｘに搬送する。その後、ヒートシール手段３１によって、パチンコ台１を覆う熱収縮フィルム３２を溶断及び接着する。これにより、パチンコ台１を熱収縮フィルム３２で包む（包装工程）。このとき、熱収縮フィルム３２が少なくとも収納ケース１０を覆うように、パチンコ台１の表面１ａ及び裏面１ｂを包む。
【００３２】
その後、ずれ止め手段５によって、パチンコ台１を包む熱収縮フィルム３２が、位置ずれしないように、熱収縮フィルム３２を部分的にパチンコ台１に密着する（ずれ止め工程）。そして、パチンコ台１を搬送方向Ｘに搬送する。その後、密着手段４によって、パチンコ台１を包む熱収縮フィルム３２がパチンコ台１に密着するように、熱収縮フィルム３２に全体的に熱を付与する（密着工程）。
【００３３】
これにより、図３の通り、熱収縮フィルム３２は、少なくとも収納ケース１０が覆われるように、パチンコ台１の表面１ａ及び裏面１ｂを包み、かつ、パチンコ台１に密着するように、熱で収縮される。そして、パチンコ台１の包装体が形成される。
従って、主制御基板を収納する収納ケース１０を取り外したり切断しようとすると、熱収縮フィルム３２が破れたり伸びたり変形するので、主制御基板が改竄されたか否かを簡単かつ迅速に発見できる。
【００３４】
本発明は、上記実施形態に限定されるものではなく、上記構成を適宜変更することもできる。例えば、以下のように変更して実施することもでき、以下の変更を組み合わせて実施することもできる。
【００３５】
・パチンコ台１が立設するとき、パチンコ台１の表面１ａ及び裏面１が搬送方向Ｘに向けて配置されてもよい。
・包装手段３は、袋状の熱収縮フィルム３２でパチンコ台１に覆うものでもよい。その後、密着手段４で、熱収縮フィルム３２をパチンコ台１に密着してもよい。
【００３６】
・密着手段４は、電熱ヒーターであってもよい。
・熱風噴射手段４０は、上下方向Ｚに延設された１つの噴射口４０ａであってもよい。
・熱風噴射手段４０は、噴射口４０ａを開閉するための開閉手段を備えてもよい。
【００３７】
・パチンコ台１を包装手段３から密着手段４まで搬送する間に、熱収縮フィルム３２が位置ずれしない場合は、ずれ止め手段５を備えなくてもよい。
【符号の説明】
【００３８】
１  パチンコ台
１ａ  パチンコ台の表面
１ｂ  パチンコ台の裏面
１０  収納ケース
２  搬送手段
３  包装手段
３０  フィルム供給手段
３１  ヒートシール手段
３２  熱収縮フィルム
４  密着手段
５  ずれ止め手段
４０，５０  熱風噴射手段
４０ａ，５０ａ  噴射口
４２，５２  位置調整手段
５１  開閉手段
Ｘ  搬送方向
Ｙ  直交方向
Ｚ  上下方向
【図１】
2016154651.tif 000003
【図２】
2016154651.tif 000004
【図３】
2016154651.tif 000005